(57)【要約】【課題】蓋体を、通常の取り付け動作で鉗子栓本体にスムーズかつ確実に取り付けることができて、体内汚液噴出等が発生するおそれのない内視鏡の鉗子栓を提供すること。【解決手段】蓋体１２の内方突起２３部分が弾性変形して鉗子栓本体１１の外周部に沿ってスライドする際に、鉗子栓本体１１の外周部と蓋体１２の環状壁２２とで囲まれた空間Ａと外部とを連通させて空間Ａ内の空気を外部に排出させる通気溝２７を、鉗子栓本体１１の外周部に形成した。【選択図】      図１
2008113915.tif 000002
【特許請求の範囲】
【請求項１】
基部が内視鏡の処置具挿通チャンネルの入口部分に取り付けられる筒状の鉗子栓本体と、上記鉗子栓本体の突端入口部に着脱自在に取り付けられる蓋体とが共に弾力性のある部材により形成されて、上記処置具挿通チャンネルに挿通される処置具により押し開かれる閉鎖膜が上記鉗子栓本体と上記蓋体とに設けられた内視鏡の鉗子栓であって、上記鉗子栓本体の外周部に円周溝が形成されて、上記鉗子栓本体の周囲を囲む状態に上記蓋体側から突設された環状壁の先端部分に上記円周溝に対して係脱自在な環状の内方突起が突出形成され、上記蓋体の内方突起部分が、上記鉗子栓本体の外周部に沿って弾性変形して押し広げられた状態でスライドしてから上記円周溝に係合するように構成された内視鏡の鉗子栓において、
上記蓋体の内方突起部分が弾性変形して上記鉗子栓本体の外周部に沿ってスライドする際に、上記鉗子栓本体の外周部と上記蓋体の環状壁とで囲まれた空間と外部とを連通させて上記空間内の空気を外部に排出させる通気溝を、上記鉗子栓本体の外周部に形成したことを特徴とする内視鏡の鉗子栓。
【請求項２】
上記通気溝が上記円周溝に連通する状態に形成されている請求項１記載の内視鏡の鉗子栓。
【請求項３】
上記通気溝が、上記鉗子栓本体の外周部に、一つ又は周方向に互いの間隔をあけて複数形成されている請求項１又は２記載の内視鏡の鉗子栓。
【発明の詳細な説明】
【技術分野】
【０００１】
この発明は、処置具挿通チャンネルを通じて体内汚液等が内視鏡外に噴出しないように処置具挿通チャンネルの入口部分を弾力的にシールするための内視鏡の鉗子栓に関する。
【背景技術】
【０００２】
内視鏡の鉗子栓は一般に、例えば図９に示されるように、基部が内視鏡の処置具挿通チャンネルの入口口金（図示せず）に取り付けられる筒状の鉗子栓本体９１と、その鉗子栓本体９１の突端入口部に着脱自在に取り付けられる蓋体９２とが共に弾力性のある部材により形成されて、処置具挿通チャンネルに挿通される処置具によって押し開かれるスリット９３又は小孔９４が形成された閉鎖膜９５，９６が、蓋体９２と鉗子栓本体９１とに設けられている。
【０００３】
そして、蓋体９２を鉗子栓本体９１に係止させるために、鉗子栓本体９１の外周部に円周溝９９が形成されて、鉗子栓本体９１の周囲を囲む状態に蓋体９２側から突設された環状壁９７の先端内周部分に、円周溝９９に対して係脱自在な環状の内方突起９８が全周に突出形成されている（例えば、特許文献１）。
【特許文献１】特開２００１−２１８７３２
【発明の開示】
【発明が解決しようとする課題】
【０００４】
上述のような内視鏡の鉗子栓において、図１０に示されるように鉗子栓本体９１から取り外された状態の蓋体９２を鉗子栓本体９１に取り付ける際には、図１１に示されるように、蓋体９２の内方突起９８部分を、鉗子栓本体９１の外周部に沿わせた状態で円周溝９９に向かってスライドさせていく。
【０００５】
しかし、図１２に示されるように、さらに蓋体９２を鉗子栓本体９１に被さる状態にスライドさせていくと、内方突起９８が円周溝９９に係合する状態になる前に、鉗子栓本体９１の外径の大きい部分で内方突起９８部分が押し広げられた状態に弾性変形し、その後、鉗子栓本体９１の外周部と蓋体９２の環状壁９７とで囲まれる空間Ａが圧縮された状態になる。
【０００６】
そのため、図１３に示されるように、内方突起９８が円周溝９９に係合する前に、環状壁９７がその内側の空間Ａ内の圧力で外側に膨らんでしまって、蓋体９２を上方から鉗子栓本体９１に一杯まで押し付けても内方突起９８が円周溝９９に係合しない場合があった。
【０００７】
そして、内方突起９８が円周溝９９に係合しない状態で鉗子栓が使用されると、体内から処置具挿通チャンネル内に入り込んでくる体内汚液の水撃作用等で鉗子栓が吹き飛ばされて、汚液が周囲に飛散してしまうおそれがあった。
【０００８】
本発明は、蓋体を、通常の取り付け動作で鉗子栓本体にスムーズかつ確実に取り付けることができて、体内汚液噴出等が発生するおそれのない内視鏡の鉗子栓を提供することを目的とする。
【課題を解決するための手段】
【０００９】
上記の目的を達成するため、本発明の内視鏡の鉗子栓は、基部が内視鏡の処置具挿通チャンネルの入口部分に取り付けられる筒状の鉗子栓本体と、鉗子栓本体の突端入口部に着脱自在に取り付けられる蓋体とが共に弾力性のある部材により形成されて、処置具挿通チャンネルに挿通される処置具により押し開かれる閉鎖膜が鉗子栓本体と蓋体とに設けられた内視鏡の鉗子栓であって、鉗子栓本体の外周部に円周溝が形成されて、鉗子栓本体の周囲を囲む状態に蓋体側から突設された環状壁の先端部分に円周溝に対して係脱自在な環状の内方突起が突出形成され、蓋体の内方突起部分が、鉗子栓本体の外周部に沿って弾性変形して押し広げられた状態でスライドしてから円周溝に係合するように構成された内視鏡の鉗子栓において、蓋体の内方突起部分が弾性変形して鉗子栓本体の外周部に沿ってスライドする際に、鉗子栓本体の外周部と蓋体の環状壁とで囲まれた空間と外部とを連通させて空間内の空気を外部に排出させる通気溝を、鉗子栓本体の外周部に形成したものである。
【００１０】
なお、通気溝が円周溝に連通する状態に形成されていてもよく、通気溝が、鉗子栓本体の外周部に、一つ又は周方向に互いの間隔をあけて複数形成されていてもよい。
【発明の効果】
【００１１】
本発明によれば、蓋体の内方突起部分が弾性変形して鉗子栓本体の外周部に沿ってスライドする際に、鉗子栓本体の外周部と蓋体の環状壁とで囲まれた空間と外部とを連通させて空間内の空気を外部に排出させる通気溝を、鉗子栓本体の外周部に形成したことにより、蓋体を、通常の取り付け動作で鉗子栓本体にスムーズかつ確実に取り付けることができて、体内汚液噴出等が発生するおそれをなくすことができる。
【発明を実施するための最良の形態】
【００１２】
基部が内視鏡の処置具挿通チャンネルの入口部分に取り付けられる筒状の鉗子栓本体と、鉗子栓本体の突端入口部に着脱自在に取り付けられる蓋体とが共に弾力性のある部材により形成されて、処置具挿通チャンネルに挿通される処置具により押し開かれる閉鎖膜が鉗子栓本体と蓋体とに設けられた内視鏡の鉗子栓であって、鉗子栓本体の外周部に円周溝が形成されて、鉗子栓本体の周囲を囲む状態に蓋体側から突設された環状壁の先端部分に円周溝に対して係脱自在な環状の内方突起が突出形成され、蓋体の内方突起部分が、鉗子栓本体の外周部に沿って弾性変形して押し広げられた状態でスライドしてから円周溝に係合するように構成された内視鏡の鉗子栓において、蓋体の内方突起部分が弾性変形して鉗子栓本体の外周部に沿ってスライドする際に、鉗子栓本体の外周部と蓋体の環状壁とで囲まれた空間と外部とを連通させて空間内の空気を外部に排出させる通気溝を、鉗子栓本体の外周部に形成する。
【実施例】
【００１３】
以下、図面を参照して本発明の実施例を説明する。
図４において、１は、可撓性を有する内視鏡の挿入部、２は、挿入部１の基端に連結された操作部である。
【００１４】
挿入部１内には、図示されていない処置具を挿通するための処置具挿通チャンネル３が全長にわたって挿通配置されていて、操作部２の下端部に配置された処置具挿通チャンネル３の入口開口部には、処置具挿通チャンネル３を通って逆流する体内汚液等が外方に吹き出さないようにするための鉗子栓１０が着脱自在に取り付けられている。１２と１４は、後述する蓋体と連結帯状部材である。
【００１５】
図１は鉗子栓１０を示している。鉗子栓１０は、処置具挿通チャンネルの入口口金（図示せず）に着脱自在に取り付けられる筒状に形成された鉗子栓本体１１と、鉗子栓本体１１の突端側入口部１５に着脱自在な蓋体１２とを有していて、全体が弾力性のあるゴム材等によって構成されている。
【００１６】
鉗子栓本体１１の内面の基端寄りの部分には、処置具挿通チャンネルの入口口金に対して係脱自在な小径部１３が形成されており、小径部１３を弾性変形させて、入口口金を締め付ける状態に取り付け及び取り外すことができる。
【００１７】
蓋体１２が鉗子栓本体１１から取り外された状態を図示する図２にも示されるように、蓋体１２は、弾力性のあるゴム材により蓋体１２と一体に形成された連結帯状部材１４で鉗子栓本体１１の基部と連結されていて、鉗子栓本体１１から取り外されてもその近くにぶら下げられた状態になるようになっている。
【００１８】
鉗子栓本体１１内と蓋体１２には、各々閉鎖膜１６，１７が形成されていて、鉗子栓本体１１内の閉鎖膜１６には、処置具挿通チャンネル３に挿通される処置具により押し開かれる小孔１８が形成され、蓋体１２の閉鎖膜１７には、処置具挿通チャンネル３に挿通される処置具により押し開かれるスリット１９が形成されている。
【００１９】
したがって、蓋体１２が鉗子栓本体１１に取り付けられて処置具が使用されない図１に示される状態では、蓋体１２に形成されたスリット１９により、処置具挿通チャンネル内から体内汚液等が噴出しないように封止される。
【００２０】
そして、図示されていない処置具が処置具挿通チャンネル３に挿脱される際には、小孔１８とスリット１９により処置具の外周部との間がシールされ、注射器で処置具挿通チャンネル３内に薬液等を送り込む場合には、蓋体１２を外して小孔１８を薬液通路にすることができる。
【００２１】
鉗子栓本体１１の基端寄りの位置の外周部には円周溝２１が全周にわたり形成されていて、その鉗子栓本体１１の突端側入口部１５寄りの部分の周囲を囲む状態に、蓋体１２側から環状壁２２が突出形成されている。
【００２２】
また、円周溝２１に全周にわたり係合させることができる環状の内方突起２３が環状壁２２の先端部分の内周部の全周から内方に向けて突出形成されていて、内方突起２３は、鉗子栓本体１１の外周部に沿わせてスライドさせることにより、円周溝２１に係脱させることができる。
【００２３】
鉗子栓本体１１の外周部は、蓋体１２を取り付ける際に環状壁２２がスムーズに鉗子栓本体１１に被さって行くように、突端部寄りの部分に突端部側から径が次第に小さくなる逆テーパ面２５が形成されて、中間部分に突端部より径の大きな大径部２６が形成され、その大径部２６の基部側に隣接して円周溝２１が形成されている。したがって、蓋体１２の内方突起２３部分は、太径部２６を乗り越える際に押し広げられた状態に弾性変形し、その状態でスライドしてから円周溝２１に係合する。
【００２４】
そのような鉗子栓本体１１の大径部２６の外周部には、蓋体１２の内方突起２３部分が弾性変形してスライドさせる際に、鉗子栓本体１１の外周部と蓋体１２の環状壁２２とで囲まれた空間Ａ（図６参照）と外部とを連通させて空間Ａ内の空気を外部に排出させる通気溝２７が形成されている。
【００２５】
鉗子栓本体１１から蓋体１２が取り外された状態の外観図である図３に示されるように、通気溝２７は例えば９０°間隔に大径部２６の４箇所に形成されている。ただし、少なくとも一つ形成されていればよい。
【００２６】
このように構成された内視鏡の鉗子栓は、図５から図６に変化の状態が示されるように、蓋体１２を鉗子栓本体１１に被さる状態にスライドさせていくと、内方突起２３が大径部２６に接した図６に示される状態から内方突起２３が円周溝２１に係合する状態になる間に、鉗子栓本体１１の外周部と蓋体１２の環状壁２２とで囲まれた空間Ａが圧縮された状態になる。
【００２７】
しかし、その空間Ａ内の空気は、圧縮されると通気溝２７を通って円周溝２１から外部に速やかに外部に排出される。したがって本発明の内視鏡の鉗子栓においては、図７及び図８に示されるように、蓋体１２の内方突起２３が鉗子栓本体１１の円周溝２１に正しく係合する状態に、蓋体１２を鉗子栓本体１１にスムーズかつ確実に取り付けることができ、鉗子栓１０の不確実な取り付けに起因する処置具挿通チャンネル内からの体内汚液噴出等を防止することができる。なお、図５〜図７においては連結帯状部材１４の図示が省略されている。
【図面の簡単な説明】
【００２８】
【図１】本発明の実施例の内視鏡の鉗子栓の側面断面図である。
【図２】本発明の実施例の内視鏡の鉗子栓の蓋体が鉗子栓本体から取り外された状態の側面断面図である。
【図３】本発明の実施例の内視鏡の鉗子栓の蓋体が鉗子栓本体から取り外された状態の外観斜視図である。
【図４】本発明の実施例の内視鏡の全体構成を示す側面図である。
【図５】本発明の実施例の内視鏡の鉗子栓の蓋体を鉗子栓本体に取り付ける際の動作を示す側面断面図である。
【図６】本発明の実施例の内視鏡の鉗子栓の蓋体を鉗子栓本体に取り付ける際の動作を示す側面断面図である。
【図７】本発明の実施例の内視鏡の鉗子栓の蓋体が鉗子栓本体に取り付けられた状態の側面断面図である。
【図８】本発明の実施例の内視鏡の鉗子栓の蓋体が鉗子栓本体に取り付けられた状態の外観斜視図である。
【図９】従来の内視鏡の鉗子栓の側面断面図である。
【図１０】従来の内視鏡の鉗子栓の蓋体が鉗子栓本体から取り外された状態の側面断面図である。
【図１１】従来の内視鏡の鉗子栓の蓋体を鉗子栓本体に取り付ける際の動作を示す側面断面図である。
【図１２】従来の内視鏡の鉗子栓の蓋体を鉗子栓本体に取り付ける際の動作を示す側面断面図である。
【図１３】従来の内視鏡の鉗子栓の蓋体を鉗子栓本体に取り付ける際の動作を示す側面断面図である。
【符号の説明】
【００２９】
３  処置具挿通チャンネル
１０  鉗子栓
１１  鉗子栓本体
１２  蓋体
１６  閉鎖膜
１７  閉鎖膜
１８  小孔
１９  スリット
２１  円周溝
２２  環状壁
２３  内方突起
２５  逆テーパ面
２６  大径部
２７  通気溝
Ａ  空間
【図１】
2008113915.tif 000003
【図２】
2008113915.tif 000004
【図３】
2008113915.tif 000005
【図４】
2008113915.tif 000006
【図５】
2008113915.tif 000007
【図６】
2008113915.tif 000008
【図７】
2008113915.tif 000009
【図８】
2008113915.tif 000010
【図９】
2008113915.tif 000011
【図１０】
2008113915.tif 000012
【図１１】
2008113915.tif 000013
【図１２】
2008113915.tif 000014
【図１３】
2008113915.tif 000015